(57)【要約】【課題】ＣＲＴ装置のシミュレーションと、火災受信機のシミュレーションとを、互いに連携させ、ユーザは、実火災を想定したそれぞれの表示変化をリンクして確認することができる防災システムを提供することを目的とする。【解決手段】ＣＲＴ装置は、端末機器のシンボルが配置されている建物の各フロアの平面図を表示し、シミュレーションによって、状態変化した端末機器のシンボルの表示形態を変化させ、また、火災受信機から受信した状態情報に基づいて、シンボルの表示形態を変化させ、一方、火災受信機は、ＣＲＴ装置から受信した上記シミュレーション情報に応じた表示を行う。【選択図】図３
2008250850.tif 000002
【特許請求の範囲】
【請求項１】
建物に配設された端末機器と接続され、上記端末機器の監視制御を行う火災受信機と、ＣＲＴ装置とを具備する防災システムにおいて、
上記ＣＲＴ装置は、
シミュレーションを実行するシミュレーション実行手段と；
上記火災受信機と接続されるＣＲＴ装置であって、上記端末機器のシンボルが配置されている建物の各フロアの平面図を表示する表示部と；
上記火災受信機から受信した状態情報に基づいて、状態変化した端末機器のシンボルの表示形態を変化させ、また、シミュレーション機能の実行時にシミュレーション情報に基づいて、擬似状態変化した端末機器のシンボルの表示形態を変化させる等、上記表示部の各種表示形態を変化させる表示形態変化部と；
上記火災受信機へ各種情報を出力し、また、シミュレーション機能の実行時にシミュレーション情報を出力する出力部と；
を有し、
上記火災受信機は、上記ＣＲＴ装置から受信した上記シミュレーション情報に応じた表示を、表示部に行うことを特徴とする防災システム。
【請求項２】
請求項１において、
上記ＣＲＴ装置は、実際の現場データを用いてシミュレーションし、また、操作入力手段を介して、擬似的に作動させる端末機器を選択し、シミュレーションする装置であることを特徴とする防災システム。
【請求項３】
請求項１において、
上記ＣＲＴ装置は、複数の火災受信機の中から、シミュレーションに連携させる火災受信機を、操作入力手段を介して、選択し、シミュレーション情報を出力する装置であることを特徴とする防災システム。
【請求項４】
請求項１において、
上記火災受信機は、上記ＣＲＴ装置との間で、シミュレーションに連動している間は、操作入力を受け付けないことを特徴とする防災システム。
【請求項５】
請求項１において、
上記火災受信機は、シミュレーションに連動中に、端末機器から実作動情報を受信すると、上記火災受信機の表示部におけるシミュレーション表示をクリアし、実作動表示を行うことを特徴とする防災システム。
【発明の詳細な説明】
【技術分野】
【０００１】
本発明は、火災受信機が、ＣＲＴ装置（火災表示装置）のシミュレーション機能に連動した表示を行い、シミュレーション中のＣＲＴ装置の状態に合わせて表示部（ＬＣＤ）で表示する防災システムに関する。
【背景技術】
【０００２】
従来、火災受信機やＣＲＴ装置は、シミュレーションを実行することができる機能を有する（たとえば、特許文献１参照）。
【０００３】
上記「シミュレーション」は、火災が発生した場合を想定し、模擬的に端末機器を動作させ、この模擬的な動作状況に合わせて、表示部における表示を変化させ、この表示の変化をオペレータが確認し、これを通じて、オペレータを訓練する動作である。
【０００４】
次に、ＣＲＴ装置のシミュレーション動作について、説明する。
【０００５】
図８は、従来例において、ＣＲＴ装置でシミュレーション動作を選択した状態（通常時）を示す図である。
【０００６】
図９は、従来例において、シミュレーション動作で起動するシナリオの選択を、ＣＲＴ装置が促す表示例（シミュレーション開始時）を示す図である。
【０００７】
シミュレーション動作は、次のステップ１１〜１４で構成されている。
【０００８】
ステップ１１：ＣＲＴ装置は、図８に示すように、「シミュレーション」が操作されると、シミュレーション動作を開始する。
【０００９】
ステップ１２：起動する「シナリオ」の選択をユーザに促すウィンドウ表示を行う。図９に示す例では、「シナリオ」として、「火災（アナログ）」と「火災（一般感知器）」との内の一方を選択することができる。
【００１０】
ステップ１３：「シナリオ」が選択されると、選択された「シナリオ」を実行する。図９は、「火災（アナログ）」を選択した状態を示す図である。
【００１１】
図１０は、従来例において、シミュレーション動作し、ＣＲＴ装置が注意状態を表示している例を示す図である。
【００１２】
「火災（アナログ）」の場合、まず、光電アナログ感知器が注意報になり、平面画像の該当するシンボルＳＢが注意報を示す状態に変化する。たとえば、白抜き表示から黒色表示に変化する。
【００１３】
図１０中、左下に示す「アラームリスト」に、光電アナログ感知器が注意報を発した時刻、感知器の種類、注意報である旨、発報場所等が表示される。また、図１０中、上部に、シミュレーションガイドが表示される。
【００１４】
そして、図１０中、上部に表示されているシミュレーションガイド中の「メッセージ確認」が操作される（クリックされる）と、光電アナログ感知器が発報状態になり、平面図画像の該当するシンボルＳＢが発報を示す状態に変化する。シンボルＳＢが、たとえば、黒色表示から赤色表示に変化する。
【００１５】
図１１は、従来例において、シミュレーション動作し、ＣＲＴ装置が発報状態を表示している例を示す図である。
【００１６】
図１１中、左下の「アラームリスト」に、光電アナログ感知器が発報を発した時刻、感知器の種類、発報である旨、発報場所が表示される。また、図１１中、上部に、「シミュレーションガイド」が表示される。
【００１７】
ステップ１４：図１１中、上部に表示されている「シミュレーションガイド」中の「終了」を操作する（クリックする）と、シミュレーション動作が終了する。
【００１８】
なお、「火災（一般感知器）」の「シナリオ」が選択された場合、図１０に示す画面の表示が省略される（一般感知器は注意報の状態とはならないため）以外は、「火災（アナログ）」におけるステップ１１〜１４と同様のステップを実行する。
【００１９】
次に、従来例において、火災受信機におけるシミュレーション動作について説明する。
【００２０】
図１２は、従来の火災受信機において、通常時における表示例を示す図である。
【００２１】
図１３は、従来の火災受信機において、注意状態を表示する例（図１０に相当する表示例）を示す図である。
【００２２】
図１４は、従来の火災受信機において、発報状態を表示する例（図１１に相当する表示例）を示す図である。
【００２３】
火災受信機における表示動作は、ＣＲＴ装置における表示動作と基本的には同じである。つまり、火災受信機における表示動作が、ＣＲＴ装置における表示動作と異なる点は、次の点である。すなわち、表示内容として、平面図画像の表示が省略されている点と、「アラームリスト」の内容が表示されている点と、発報時に火災代表灯が点灯する点とが、ＣＲＴ装置における表示動作とは異なる。
【００２４】
なお、従来例におけるシミュレーションでは、火災受信機の表示動作と、ＣＲＴ装置における表示動作とは、互いに独立であり、一方の表示動作が他方の表示動作には影響されない。
【特許文献１】特開平８−４４２８５号公報
【発明の開示】
【発明が解決しようとする課題】
【００２５】
図１５は、従来例において、ＣＲＴ装置、火災受信機のシミュレーション動作を示すタイムチャートである。
【００２６】
上記従来例では、ＣＲＴ装置のシミュレーションと、火災受信機のシミュレーションとを、互いに独立して実行するので、ユーザは、実火災を想定した場合において、各表示変化を、リンクして確認することができないという問題がある。
【００２７】
本発明は、ＣＲＴ装置のシミュレーションと、火災受信機のシミュレーションとを、互いに連携させ、ユーザは、実火災を想定したそれぞれの表示変化をリンクして確認することができる防災システムを提供することを目的とする。
【課題を解決するための手段】
【００２８】
本発明は、ＣＲＴ装置は、端末機器のシンボルが配置されている建物の各フロアの平面図を表示し、シミュレーションによって、擬似状態変化した端末機器のシンボルの表示形態を変化させ、また、火災受信機から受信した状態情報に基づいて、シンボルの表示形態を変化させ、一方、火災受信機は、ＣＲＴ装置から受信したシミュレーション情報に応じた表示を行う。
【発明の効果】
【００２９】
本発明によれば、ＣＲＴ装置のシミュレーションと、火災受信機のシミュレーションとを、互いに連携させるので、ユーザは、実火災を想定したそれぞれの表示変化をリンクして確認することができるという効果を奏する。
【発明を実施するための最良の形態】
【００３０】
発明を実施するための最良の形態は、以下の実施例である。
【実施例１】
【００３１】
本発明は、互いに異なる表示形態で表示を行うＣＲＴ装置と火災受信機とのシミュレーション動作の連携によって、模擬的な作動状況に合わせて、それぞれの表示部が同期して変化するので、実火災を想定したそれぞれの表示変化をリンクして確認することができる。
【００３２】
図１は、本発明の実施例１である防災システム１００を示す図である。
【００３３】
ＣＲＴ装置Ｄ１、Ｄ２、Ｄ３と火災受信機ＲＥ１、ＲＥ２、ＲＥ３とは、たとえば、１棟、２棟、３棟の建物のそれぞれに設置され、ＬＡＮを介して接続されている。そして、互いに異なるノード番号Ｎが付与され、各防災情報を共有することができる。１棟には、火災受信機ＲＥ１と、ＣＲＴ装置Ｄ１とが設けられ、２棟には、火災受信機ＲＥ２と、ＣＲＴ装置Ｄ２とが設けられ、３棟には、火災受信機ＲＥ３と、ＣＲＴ装置Ｄ３とが設けられている。
【００３４】
図２は、防災システム１００における火災受信機ＲＥ１の構成と、ＣＲＴ装置Ｄ１の構成とを示す図である。
【００３５】
火災受信機ＲＥ１は、制御部１０と、ＲＯＭ１１と、ＲＡＭ１２と、ＥＥＰＲＯＭ１３と、操作部１４と、表示部１５と、伝送回路１６と、送受信部１７と、音響部１８と、印字部１９とを有する。
【００３６】
送受信部１７には、信号線を介して、１棟に設置された火災感知器Ｓ、地区ベルＢ、被制御機器ＥＲ等の端末機器が接続される。ＥＥＰＲＯＭ１３には、送受信部１７に接続された１棟の端末機器の端末設定情報が記憶されている。
【００３７】
火災受信機ＲＥ２、ＲＥ３は、火災受信機ＲＥ１の構成と同様である。なお、それぞれの送受信部１７には、信号線を介して、それぞれの棟に設置されている端末機器が接続され、それぞれのＥＥＰＲＯＭ１３には、それぞれの棟の端末機器の端末設定情報が記憶されている。
【００３８】
ＣＲＴ装置Ｄ１は、制御部２０と、ＲＯＭ２１と、ＲＡＭ２２と、ＥＥＰＲＯＭ２３と、操作部２４と、表示部２５と、伝送回路２６と、音響部２８と、印字部２９とを有する。
【００３９】
ＥＥＰＲＯＭ２３には、物件データ、つまり、１〜３棟全ての端末機器の端末設定情報が記憶されている。
【００４０】
ＣＲＴ装置Ｄ２、Ｄ３は、ＣＲＴ装置Ｄ１の構成と同様である。
【００４１】
図３は、防災システム１００において、シミュレーション連携手順を示すタイミングチャートである。
【００４２】
図３に示す例は、１棟のＣＲＴ装置（ノード番号Ｎ＝２）Ｄ１が、１棟の火災受信機（ノード番号Ｎ＝１）ＲＥ１との間で、シミュレーション動作を連携する場合における動作例である。
【００４３】
ＣＲＴ（Ｎ＝２）Ｄ１のシミュレーション動作は、次のステップ１〜４で構成されている。
【００４４】
ステップ１：ＣＲＴ装置Ｄ１は、図８に示すように、「シミュレーション」が操作されると、シミュレーション動作を開始する。
【００４５】
ステップ２：擬似作動させる端末機器をユーザに促すウィンドウ表示を、図４に示すように行う。
【００４６】
ステップ３：擬似作動させる「端末機器」が選択されると、図１０に示すように、選択された「端末機器」の擬似作動を実行する。
【００４７】
図４は、ＣＲＴ装置Ｄ１の表示部２５における表示例（シミュレーション開始時）を示す図である。
【００４８】
なお、端末機器の選択操作として、まず、「棟選択」スイッチ操作（不図示）によって、図４の右上に示す「断面キープラン表示部」に、擬似作動させたい端末機器（シミュレーション連携したい火災受信機）の棟を選択表示する。次に、「階」を選択し、その階の平面図を「グラフィックエリア」に表示する（図４では、１棟（火災受信機ＲＥ１）の２階を選択した状態）。そして、最後に、擬似作動させる端末機器のシンボルＳＢを、右クリックし、「実行」をポップアップウィンドウ表示させ、クリックする。
【００４９】
擬似作動を実行すると、従来技術と同様に、擬似作動させる端末機器が「アナログ感知器」であれば、図１０に示すように、注意状態を表示し、次に、図１１に示すように、火災発報状態を表示し、また、「一般感知器」であれば、図１０に示す注意状態の表示を省略し、図１１の火災発報状態を表示する。
【００５０】
ステップ４：最後に、図１１に示す「終了」をクリックすると、シミュレーション動作が終了する。なお、続けて、別の所望の端末機器を擬似作動させる場合、上記ステップ３において、所望の端末機器のシンボルＳＢを選択する操作を実行する。
【００５１】
図５は、火災受信機ＲＥ１の表示部１５における表示例（注意報時）を示す図である。
【００５２】
図６は、火災受信機ＲＥ１の表示部１５における表示例（火災発報時）を示す図である。
【００５３】
このときに、ＣＲＴ装置（Ｎ＝２）Ｄ１は、図１０、図１１に示す表示時に対応して、擬似端末状態（シミュレーション情報）を通知し、火災受信機（Ｎ＝１）ＲＥ１は、通常時に、図１２に示す状態の表示部が、図５、図６に相当する表示に切り替わる。
【００５４】
図１３に示す画面の下側に表示されているシミュレーションガイドが、図５に示す画面では表示されず、また、「アラームリスト」中の右側に、擬似情報欄が追加され、この擬似情報欄に、「擬似」が表示される。
【００５５】
図１４に示す画面の下に表示されているシミュレーションガイドが、図６に示す画面では表示されず、また、「アラームリスト」中の右側に、擬似情報欄が追加され、この擬似情報欄に、「擬似」が表示される。
【００５６】
図７は、実施例１において、火災信号（実作動信号）を受信した場合において、シミュレーション動作のクリアを示すタイミングチャートである。
【００５７】
火災受信機ＲＥ１は、シミュレーション連動中に、端末機器（図７の火災感知器Ｓ）から実作動情報を受信すると、シミュレーション表示をクリアし、実作動表示を実行する。また、ＣＲＴ装置（Ｎ＝２）Ｄ１に、シミュレーション強制終了を通知し、火災情報を通知する。これによって、ＣＲＴ装置（Ｎ＝２）Ｄ１も、シミュレーション表示をクリアし、実作動表示を実行する。なお、シミュレーション動作中でない火災受信機から、実作動情報を受信した場合は、それぞれがシミュレーション表示をクリアし、また、ＣＲＴ装置（Ｎ＝２）Ｄ１が実作動を表示する。
【００５８】
また、別のシーケンスとして、まず、ＣＲＴ装置（Ｎ＝２）Ｄ１が実作動情報を受信し、シミュレーション表示をクリアし、その終了命令を受けて、火災受信機ＲＥ１が、シミュレーション表示をクリアするようにしてもよい。
【００５９】
ＣＲＴ装置におけるシミュレーション時に、このシミュレーションの進行に応じた表示を、火災受信機ＲＥ１でも実行する。
【００６０】
従来例において、火災受信機・ＣＲＴ装置は、表示・音響・印字のシミュレーション機能を有するが、火災受信機とＣＲＴ装置との間で、シミュレーションの連携がない。したがって、従来例では、シミュレーションを利用した火災発生想定訓練において、火災受信機の表示とＣＲＴの表示とが連携されていないので、あくまで個々の機械の機能確認しかできない。また、それぞれのシミュレーションにおいて、実際の現場データを表示するのではなく、シミュレーション用の架空の現場データを表示している（いつも、同じ火災感知器が発報する）ので、現実感に乏しい。
【００６１】
しかし、実施例１では、まず、ＣＲＴ装置Ｄ１でシミュレーションするときに、火災受信機ＲＥ１のシミュレーション表示と、ＣＲＴ装置Ｄ１のシミュレーション表示とを同期させる（互いに同じ表示を行う）。また、ＣＲＴ装置Ｄ１に登録されている実際の現場データを、任意に選び、シミュレーション動作を行う。また、火災受信機ＲＥ１もこの動作表示を行う。
【００６２】
しかも、図１に示すように、ＣＲＴ装置と火災受信機とが、ＬＡＮ等によって複数台互いに接続されている環境において、ＣＲＴ装置Ｄ１は、任意の火災受信機と連携することができる。
【００６３】
なお、複数のＣＲＴ装置の間では、連携を行わない。また、火災発生時またはガス漏れ発生時における火災受信機の監視を妨げないように、火災発生時またはガス漏れ発生時に、連携シミュレーションを即座に解除する。
【００６４】
ＣＲＴ装置Ｄ１と火災受信機ＲＥ１とを、シミュレーション同期する場合、次の処理（１）〜（６）を実行する。
【００６５】
処理（１）：ＣＲＴ装置Ｄ１が主導し、シミュレーションとする。
【００６６】
処理（２）：ＣＲＴ装置Ｄ１において、シミュレーションを開始したときに、ユーザは、このＣＲＴ装置Ｄ１が監視する複数の火災受信機のうちで、どの火災受信機と同期するかを決定する。
【００６７】
処理（３）：ＣＲＴ装置Ｄ１内に登録してある端末機器を、ユーザが任意に選び、シミュレーション動作（擬似表示・印字・音響鳴動）を実行する。
【００６８】
処理（４）：ＣＲＴ装置Ｄ１は、シミュレーション動作（擬似表示・印字・音響鳴動）すると同時に、既に選択した同期する火災受信機ＲＥ１に向けて、専用ＬＡＮを介して、作動端末の詳細情報を擬似端末情報属性に付加し、伝送通知する。
【００６９】
処理（５）：シミュレーションの端末状態を受信した火災受信機ＲＥ１は、その情報を、他盤の特殊端末情報（擬似端末情報）として処理し、ＣＲＴ装置Ｄ１と同様に、シミュレーション動作（擬似表示・印字・音響鳴動）を行う。この場合、受信した情報種別が、火災状態であれば、火災代表灯を擬似的に点灯し、ガス漏れ状態であれば、ガス漏れ代表灯を擬似的に点灯する。
【００７０】
処理（６）：ＣＲＴ装置Ｄ１が、継続的にシミュレーションする場合、上記と同様の手順を繰り返す。ＣＲＴ装置Ｄ１がシミュレーションを終了する場合、画面表示等を落とすとともに、連携していた火災受信機ＲＥ１に、擬似端末作動状態クリアの信号を通知する。
【００７１】
処理（１）〜（６）によって、シミュレーションする際に、ＣＲＴ装置Ｄ１の表示動作を確認することができ、また、火災受信機ＲＥ１の表示状態を、リンクして確認することができるので、効率的である。
【００７２】
すなわち、シミュレーション時のＣＲＴ装置Ｄ１への操作入力に基づいて、ＣＲＴ装置Ｄ１の表示と同時に、火災受信機ＲＥ１の表示も変わるので、その動きを同期して確認することができる。なお、ＣＲＴ装置Ｄ１主導で連携させるので、入力インタフェースとして火災受信機ＲＥ１よりも操作性がよい。特に、ＣＲＴ装置Ｄ１は、シミュレーション時に、表示部２５に表示されるフロアの平面図等の画像データを用いて、マウス操作により、擬似作動させる端末機器を選択することができるので、操作性がよい。また、シミュレーション情報として文字情報を送信するだけで足り、火災受信機ＲＥ１が主導する場合と比べて、表示処理が容易である。
【００７３】
上記処理（２）〜（５）によって、実際の現場に即したシミュレーションを行うことができ、また、様々なシミュレーションを行うことができる。
【００７４】
上記処理（４）によって、シミュレーションの連携をしないＣＲＴ装置には、実際の防災情報を表示することができる。
【００７５】
上記処理（４）〜（５）によって、火災受信機ＲＥ１が、ＣＲＴ装置Ｄ１における表示に合わせて表示しているときに、火災受信機ＲＥ１へ操作入力を受け付けると、ＣＲＴ装置Ｄ１の状態と食い違いが生じるので、火災受信機ＲＥ１が操作を受け付けないことにし、これによって、ＣＲＴ装置Ｄ１の操作に基づいて、シミュレーション動作を進める。なお、これとは逆に、シミュレーション中も操作入力を受け付けるようにしてもよい。
【００７６】
また、処理（１）〜（６）の期間において、ＣＲＴ装置Ｄ１および火災受信機ＲＥ１は、シミュレーションに連動中に、端末機器からの実作動情報を受信すると、シミュレーション表示をクリアし、実作動表示を行うので、端末機器の実作動時に、実作動情報を確認し易い。
【００７７】
つまり、上記実施例は、建物に配設された端末機器と接続され、上記端末機器の監視制御を行う火災受信機と、ＣＲＴ装置とを具備する防災システムにおいて、上記ＣＲＴ装置は、シミュレーションを実行するシミュレーション実行手段と、上記火災受信機と接続されるＣＲＴ装置であって、上記端末機器のシンボルが配置されている建物の各フロアの平面図を表示する表示部と、上記火災受信機から受信した状態情報に基づいて、状態変化した端末機器のシンボルの表示形態を変化させ、また、シミュレーション機能の実行時にシミュレーション情報に基づいて、擬似状態変化した端末機器のシンボルの表示形態を変化させる等、上記表示部の各種表示形態を変化させる表示形態変化部と、上記火災受信機へ各種情報を出力し、また、シミュレーション機能の実行時にシミュレーション情報を出力する出力部とを有し、上記火災受信機は、上記ＣＲＴ装置から受信した上記シミュレーション情報に応じた表示を、表示部に行う防災システムの例である。
【００７８】
この場合、上記ＣＲＴ装置は、実際の現場データを用いてシミュレーションし、また、操作入力手段を介して、擬似的に作動させる端末機器を選択し、シミュレーションする装置である防災システムの例である。
【００７９】
さらに、上記ＣＲＴ装置は、複数の火災受信機の中から、シミュレーションに連携させる火災受信機を、操作入力手段を介して、選択し、シミュレーション情報を出力する装置である。さらに、上記火災受信機は、上記ＣＲＴ装置との間で、シミュレーションに連動している間は、操作入力を受け付けない。
【００８０】
そして、上記火災受信機は、シミュレーションに連動中に、端末機器から実作動情報を受信すると、上記火災受信機の表示部におけるシミュレーション表示をクリアし、実作動表示を行う。
【図面の簡単な説明】
【００８１】
【図１】本発明の実施例１である防災システム１００を示す図である。
【図２】防災システム１００における火災受信機ＲＥ１の構成と、ＣＲＴ装置Ｄ１の構成とを示す図である。
【図３】防災システム１００において、シミュレーション連携手順を示すタイミングチャートである。
【図４】ＣＲＴ装置Ｄ１の表示部２５における表示例（シミュレーション開始時）を示す図である。
【図５】火災受信機ＲＥ１の表示部１５による表示例（注意報時）を示す図である。
【図６】火災受信機ＲＥ１の表示部１５による表示例（火災発報時）を示す図である。
【図７】実施例１において、火災信号（実作動信号）を受信した場合において、シミュレーション動作のクリアを示すタイミングチャートである。
【図８】従来例において、ＣＲＴ装置でシミュレーション動作を選択した状態を示す図である。
【図９】従来例において、シミュレーション動作で起動するシナリオの選択を、ＣＲＴ装置が促す表示例を示す図である。
【図１０】従来例において、シミュレーション動作し、ＣＲＴ装置が注意状態を表示している例を示す図である。
【図１１】従来例において、シミュレーション動作し、ＣＲＴ装置が発報状態を表示している例を示す図である。
【図１２】従来の火災受信機において、通常時における表示例を示す図である。
【図１３】従来の火災受信機において、注意状態を表示する例（図１０に相当する表示例）を示す図である。
【図１４】従来の火災受信機において、発報状態を表示する例（図１１に相当する表示例）を示す図である。
【図１５】従来例において、ＣＲＴ装置、火災受信機のシミュレーション動作を示すタイムチャートである。
【符号の説明】
【００８２】
１００…防災システム、
ＲＥ１、ＲＥ２、ＲＥ３…火災受信機、
１５…火災受信機の表示部、
Ｄ１、Ｄ２、Ｄ３…ＣＲＴ装置、
２５…ＣＲＴ装置の表示部。
【図１】
2008250850.tif 000003
【図２】
2008250850.tif 000004
【図３】
2008250850.tif 000005
【図４】
2008250850.tif 000006
【図５】
2008250850.tif 000007
【図６】
2008250850.tif 000008
【図７】
2008250850.tif 000009
【図８】
2008250850.tif 000010
【図９】
2008250850.tif 000011
【図１０】
2008250850.tif 000012
【図１１】
2008250850.tif 000013
【図１２】
2008250850.tif 000014
【図１３】
2008250850.tif 000015
【図１４】
2008250850.tif 000016
【図１５】
2008250850.tif 000017